(57)【特許請求の範囲】
【請求項１】
（イ）中空円筒状をなし基部内周面に第１の螺合片が突設された本体筒と、
（ロ）中空円筒状をなし、外周面に前記第１の螺合片が螺合する第１の螺溝が設けられ、先部内周面に第２の螺合片が突設され、前記本体筒との相対回転により本体筒の内部に進退動する螺筒と、
（ハ）前記本体筒内に軸線方向へ移動可能で相対回転不能に取り付けられており、先部が棒状化粧料を支持するホルダになっていて、ホルダより基部側が軸部になっていて、この軸部の外周面には前記螺筒の第２の螺合片が螺合し且つ前記第１の螺溝とは逆螺子である第２の螺溝が設けられている中軸、
とを備え、前記第１の螺溝と第２の螺溝の少なくともいずれか一方に、その螺溝に螺合する螺合片が所定の抵抗を持って乗り越える突起を、所定のピッチで多数設けたことを特徴とする棒状化粧料繰出容器。
【請求項２】
請求項１に記載の棒状化粧料繰出容器において、内部に前記螺筒を収容固定した操作筒を備え、この操作筒と螺筒との間に前記本体筒の基部が挿入されていて、操作筒が本体筒に対して回動可能で且つ軸線方向へ移動可能であることを特徴とする棒状化粧料繰出容器。
【発明の詳細な説明】
【０００１】
【産業上の利用分野】
本発明は、口紅等の棒状化粧料を必要に応じて繰り出すことができる棒状化粧料繰出容器に関するものである。
【０００２】
【従来の技術】
棒状化粧料繰出容器には、実公平２−３８６４９号公報に開示された構造のものがある。
【０００３】
この棒状化粧料繰出容器においては、本体筒の下部に操作筒が回動可能に設けられ、操作筒の内部に収納された螺筒が本体筒に螺合し、螺筒の内部には中軸が先端を突出させて螺合しており、この中軸の先端部は本体筒に回動不能で軸線方向へ移動可能に取り付けられ、この中軸の先端部に棒状化粧料が固定され、本体筒と螺筒の螺子の向きと螺筒と中軸の螺子の向きが逆になっていて、本体筒を固定系にして操作筒を回転すると、螺筒が操作筒内を上昇してその先部が本体筒内を前進すると共に、中軸が螺筒から突き出てきて本体筒内を前進するようになっている。
【０００４】
この棒状化粧料繰出容器では、操作筒の小さな回転角度で棒状化粧料の繰り出し量を大きくできるという利点がある。
【０００５】
【発明が解決しようとする課題】
しかしながら、上記従来の棒状化粧料繰出容器では、使用者としては操作筒を僅かに回転するつもりが大きく回転してしまい、その結果、棒状化粧料が必要以上に突き出て使いにくくなり、再び操作筒を逆回転して棒状化粧料を引き込ませなければならないことがあり、使い勝手に難点があった。
【０００６】
又、次の使用時のために適度な長さに棒状化粧料を突き出した状態にして本体筒にキャップをしハンドバッグ等に収納していると、ハンドバッグ内で本体筒と操作筒が不用意に相対回転して、棒状化粧料の突き出し量が大きく変わってしまうことがあった。
【０００７】
本発明はこのような従来の技術の問題点に鑑みてなされたものであり、繰り出し回転操作の回転角度が触感でわかるようにし、又、意に反して不用意に繰り出し回転操作がされないようにした棒状化粧料繰出容器を提供することを目的とする。
【０００８】
【課題を解決するための手段】
本発明は前記課題を解決するために、以下の手段を採用した。
〈本発明の要旨〉
本発明は、（イ）中空円筒状をなし基部内周面に第１の螺合片が突設された本体筒と、（ロ）中空円筒状をなし、外周面に前記第１の螺合片が螺合する第１の螺溝が設けられ、先部内周面に第２の螺合片が突設され、前記本体筒との相対回転により本体筒の内部に進退動する螺筒と、（ハ）前記本体筒内に軸線方向へ移動可能で相対回転不能に取り付けられており、先部が棒状化粧料を支持するホルダになっていて、ホルダより基部側が軸部になっていて、この軸部の外周面には前記螺筒の第２の螺合片が螺合し且つ前記第１の螺溝とは逆螺子である第２の螺溝が設けられている中軸、とを備え、前記第１の螺溝と第２の螺溝の少なくともいずれか一方に、その螺溝に螺合する螺合片が所定の抵抗を持って乗り越える突起を、所定のピッチで多数設けたことを特徴とする棒状化粧料繰出容器である（請求項１に対応）。
【０００９】
又、本発明は、前記の棒状化粧料繰出容器において、内部に前記螺筒を収容固定した操作筒を備え、この操作筒と螺筒との間に前記本体筒の基部が挿入されていて、操作筒が本体筒に対して回動可能で且つ軸線方向へ移動可能であることを特徴とする棒状化粧料繰出容器である（請求項２に対応）。
【００１０】
第２の螺溝が第１の螺溝とは逆螺子であるというは、第１の螺溝が右螺子であれば第２の螺溝は左螺子であり、第１の螺溝が左螺子であれば第２の螺溝は右螺子であることをいう。
【００１１】
突起を乗り越えるべき螺合片については、突起に干渉する時と干渉しない時が交互に生じるように寸法設定する。
【００１２】
突起は第１の螺溝に設けてもよいし、第２の螺溝に設けてもよいし、あるいは両方の螺溝に設けてもよい。又、突起を配置する場合のピッチに限定はなく、周方向に９０度間隔や１８０度間隔等に設けることができる。
【００１３】
【作用】
本体筒を固定系にして螺筒（操作筒）を回転すると、螺筒が本体筒に対して進退動すると同時に、中軸が螺筒に対して進退動し、その結果、ホルダが本体筒の先端に接近離反して、棒状化粧料を突き出したり引き込ませることができる。
【００１４】
螺筒（操作筒）を回転して、第１の螺合片もしくは第２の螺合片が螺溝の突起を乗り越える際に抵抗が大きくなる。この抵抗感の変化によって、使用者は繰り出し回転操作時の回転角度の大きさを手で感じることができる。
【００１５】
又、螺筒（操作筒）に所定の大きさ以上の回転力を加わえなければ第１の螺合片もしくは第２の螺合片は突起を乗り越えることができないので、非使用時に螺筒（操作筒）が不用意に回転することがない。
【００１６】
【実施例】
以下、本発明の１実施例を図１から図５の図面に基いて説明する。
〔構成〕
図１及び図２は本発明の棒状化粧料繰出容器１の断面図であり、図１は棒状化粧料を繰り出していない状態を示し、図２はキャップを外して棒状化粧料を最大に繰り出した状態を示している。ただし、図２では棒状化粧料を省略している。
【００１７】
棒状化粧料繰出容器１は、本体筒１０と、操作筒２０と、螺筒３０と、中軸４０と、キャップ５０とを備えている。
本体筒１０は上下を開口させた中空円筒状をなし、上部が大径孔部１１になっていて、下部が小径孔部１２になっている。大径孔部１１の内周面の径方向に対向する位置には、一対の係合突条１３が軸線方向に沿って大径孔部１１のほぼ全長に亙って突設されている。小径孔部１２の下部内周面（基部内周面）の径方向に対向する位置には一対の第１の螺合片１４が突設されている。第１の螺合片１４はそれぞれ中心角約６０度の弧状に形成されている。
【００１８】
操作筒２０は上部を開口させた有底円筒状をなし、その内部に螺筒３０が取り付けられている。
図３は螺筒３０の一部破断正面図であり、図４は図３のＩ−Ｉ拡大断面図である。螺筒３０は上下を開口させた中空円筒状をなし、下部が円板状のフランジ部３１になっていて、フランジ部３１から円筒状の筒部３２が上方に延びている。フランジ部３１は操作筒２０の底部に移動不能に嵌合固定されており、これにより操作筒２０と螺筒３０は一体化されている。
【００１９】
螺筒３０の筒部３２の外周面には第１の螺溝３３が右螺子に設けられるとともに、第１の螺溝３３の終端に連なるストッパ縦壁３４が設けられている。
【００２０】
前記本体筒１０は、第１の螺合片１４を螺筒３０の第１の螺溝３３に螺合させ、本体筒１０の下部を操作筒２０と螺筒３０との間に挿入させており、操作筒２０及び螺筒３０に対して回動可能で且つ軸線方向に移動可能になっている。
【００２１】
したがって、本体筒１０と操作筒２０とを相対回転すると、本体筒１０の下部と操作筒２０の底部が接近離反すべく軸線方向に移動し、螺筒３０の筒部３２が本体筒１０内を進退動することとなる。
【００２２】
又、前記第１の螺溝３３にはその始端から終端に至るまでの間に、周方向に１８０度のピッチで多数の突起３５が突設されている。この突起３５は図４に示すように凸曲状に形成されており、第１の螺合片１４に若干引っ掛かる程度の高さを有していて、第１の螺合片１４がこの突起３５を乗り越える時に所定の抵抗が生じるようにされている。換言すれば、第１の螺合片１４が突起３５を乗り越える時には、第１の螺合片１４が突起３５の無い螺溝３３の部分を摺動する時よりも、若干大きな操作力を必要とするようになっている。
【００２３】
図１に示すように、本体筒１０が操作筒２０から最大限上方に引き出された状態では、即ち、棒状化粧料Ａが全く繰り出されていない状態では、螺筒３０の筒部３２の上端が本体筒１０の大径孔部１１の下端に位置している。この筒部３２の上部内周面（先端内周面）において径方向に対向する位置には一対の第２の螺合片３６が突設されている。第２の螺合片３６はそれぞれ中心角約９０度の弧状に形成されている。
【００２４】
本体筒１０の内部には中軸４０が相対回転不能で且つ軸線方向へ移動可能に取り付けられている。図５は中軸４０の一部破断正面図であり、中軸４０は、上部側に円板状のフランジ部４１を有し、フランジ部４１の上部にホルダ４２が設けられ、下部に軸部４３が設けられている。
【００２５】
フランジ部４１の外周面には環状凹部４４が周設されるとともに、径方向に対向する位置に一対の係合縦溝４５がフランジ部４１の上面から下面に貫通形成されている。この係合縦溝４５に本体筒１０の係合突条１３が係合し、これによって本体筒１０と中軸４０は相対回転不能になっている。
【００２６】
ホルダ４２は、フランジ部４１から上方に延びる中空の筒部４６と、筒部４６の先端に嵌着された鍔４７とから構成されている。このホルダ４２は棒状化粧料Ａの基部に埋没しており、棒状化粧料Ａを支持している。
【００２７】
軸部４３の外周面には左螺子（即ち、第１の螺溝３３とは逆螺子）に形成された第２の螺溝４８が設けられており、軸部４３の下端は螺溝４８のないヘッド部４９になっている。
【００２８】
そして、中軸４０は、螺溝４８に螺筒３０の第２の螺合片３６を螺合させ、軸部４３を螺筒３０の筒部３２内に挿入させて、取り付けられている。
【００２９】
〔作用〕
前述のように、螺筒３０の第１の螺溝３３が右螺子であり、中軸４０の第２の螺溝４８が左螺子であり、しかも本体筒１０と中軸４０とが相対回転不能になっているので、本体筒１０を固定系にして操作筒２０を下方から見て右回転すると、螺筒３０の筒部３２が本体筒１０内を前進するとともに、中軸４０が螺筒３０から突き出て本体筒１０内を前進し、ホルダ４２が本体筒１０の上端に接近移動することとなる。そして、図２に示すように、本体筒１０の下端が螺筒３０のフランジ部３１に突き当たって繰り出しは終点となる。
【００３０】
これとは逆に、本体筒１０を固定系にして操作筒２０を下方から見て左回転すると、本体筒１０が操作筒２０から徐々に突き出ていくとともに、中軸４０の軸部４３が螺筒３０内に引き込まれていき、ホルダ４２が本体筒１０の底部に接近移動することとなる。そして、本体筒１０の第１の螺合片１４が螺筒３０のストッパ縦壁３４に突き当たると図１に示すように終点となり、この時、本体筒１０の大径孔部１１の下端内周面に設けた突起１５が、中軸４０のフランジ部４１の環状凹部４４に係合する。
【００３１】
又、この棒状化粧料繰出容器１においては、操作筒２０を回転すると、半回転毎に第１の螺合片１４が第１の螺溝３３の突起３５を乗り越えるようになり、その乗り越えの際に抵抗が大きくなる。この抵抗感の変化によって、使用者は回転角度の大きさを手で感じながら操作筒２０を回転することができる。又、この抵抗感の変化は使用者に操作筒２０の過大な回転に対して注意を喚起する。
【００３２】
したがって、使用者は棒状化粧料Ａを所望する以上の長さに繰り出すことがなくなり、極めて使い勝手がよい。
【００３３】
又、操作筒２０に所定の大きさ以上の回転力を加わえなければ第１の螺合片１４は突起３５を乗り越えることができないので、非使用時に棒状化粧料繰出容器１をハンドバック等に収納している時に操作筒２０が不用意に回転することがない。
【００３４】
したがって、次の使用時のために棒状化粧料Ａを本体筒１０から適度な長さ突き出した状態にして本体筒１０にキャップ５０を被せ、これをハンドバッグ等に収納しておけば、次回の使用時にはキャップ５０を取り外すだけですぐに棒状化粧料Ａを使用することができる。
【００３５】
〔他の実施例〕
尚、この実施例では、第１の螺溝３３に突起３５を設けたが、これの代わりに第２の螺溝４８に突起を設けてもよいし、あるいは、第１の螺溝３３と第２の螺溝４８の両方に突起を設けるようにしてもよい。
【００３６】
又、この実施例では突起３５を１８０度のピッチで設けたが、ピッチを９０度等にすることも可能である。
【００３７】
【発明の効果】
以上説明したように、本発明によれば、第１の螺溝と第２の螺溝の少なくともいずれか一方に所定のピッチで多数の突起を設けたことにより、使用者は繰り出し回転操作時の回転角度の大きさを手で感じられるようになり、又、意に反する不用意な繰り出し回転操作が行われなくなって、棒状化粧料繰出容器の使い勝手が極めて向上するという優れた効果が奏される。
【図面の簡単な説明】
【図１】本発明の一実施例の棒状化粧料繰出容器を示す図であり、棒状化粧料を繰り出していない状態を示す縦断面図である。
【図２】本発明の一実施例の棒状化粧料繰出容器を示す図であり、棒状化粧料を最大に繰り出した状態を示す縦断面図である。
【図３】本発明の一実施例の棒状化粧料繰出容器における螺筒の一部破断正面図である。
【図４】図３のＩ−Ｉ断面図である。
【図５】本発明の一実施例の棒状化粧料繰出容器における中軸の一部破断正面図である。
【符号の説明】
１  棒状化粧料繰出容器
１０  本体筒
１４  第１の螺合片
２０  操作筒
３０  螺筒
３３  第１の螺溝
３５  突起
３６  第２の螺合片
４０  中軸
４２  ホルダ
４３  軸部
４８  第２の螺溝
Ａ  棒状化粧料
【図１】
0003685462.tif 000002
【図２】
0003685462.tif 000003
【図３】
0003685462.tif 000004
【図４】
0003685462.tif 000005
【図５】
0003685462.tif 000006